(57)【特許請求の範囲】
【請求項１】
窒素成分とりん酸成分を含む肥料が、リグニンスルホン酸ナトリウムと、リグニンスルホン酸ナトリウム以外のリグニンスルホン酸塩と、水を用いて造粒されてなり、リグニンスルホン酸ナトリウム以外のリグニンスルホン酸塩がリグニンスルホン酸カルシウム又はリグニンスルホン酸マグネシウムであることを特徴とする有機物腐熟促進材。
【請求項２】
窒素成分を含む肥料が石灰窒素であり、りん酸成分を含む肥料がようりんであることを特徴する請求項１記載の有機物腐熟促進材。
【請求項３】
リグニンスルホン酸ナトリウム以外のリグニンスルホン酸塩がリグニンスルホン酸カルシウムであり、リグニンスルホン酸カルシウムとリグニンスルホン酸ナトリウムの合計の含有量が０．５〜１０重量％で、前者が後者よりも多く含まれていることを特徴とする請求項１又は２記載の有機物腐熟促進材。
【発明の詳細な説明】
【０００１】
【発明の属する技術分野】
本発明は、有機物腐熟促進材に関する。詳しくは、窒素成分とりん酸成分を含む肥料を、リグニンスルホン酸ナトリウムと、それ以外のリグニンスルホン酸塩と、水を用いて造粒されてなる有機物腐熟促進材に関する。
【０００２】
【従来の技術】
米麦作においてはコンバイン使用による収穫が一般的であり、収穫にともない残査であるわら類が圃場に排出される。排出されたわら類の一部は家畜の飼料、敷料やわら加工品原料、堆肥原料として有効利用されているが、大部分は焼却されるかそのまま圃場に放置される。焼却される場合は貴重な有機質資源を無駄にするとともに、地域によっては煙による重大な交通障害の問題を発生する恐れもある。一方、わら類が圃場に放置された場合、含有する窒素分が炭素分の見合いに比べ少なく腐熟化の進行が遅いため、腐熟不十分なわらによる窒素飢餓を起こしたり、水田ではメタンなどの還元状態で発生するガスによる障害、除草剤の薬害の助長などの生育障害が発生することが知られている。
【０００３】
この問題を解消するため、熔成苦土燐肥と石灰窒素を粘結剤により転動造粒してなる肥料を、圃場に放置されたわらと共にすき込むことが提案されている（例えば特開平１０−１７３８８号公報）。この先行技術によれば、わら類の腐熟促進に対してはかなりの有効な手段ではあるが、圃場に散布されるまでの粒状形態の保持、とその腐熟促進効果において改良の余地があった。
【０００４】
【発明が解決しようとする課題】
本発明は、上記に鑑みてなされたものであり、その目的は、圃場に散布されるまでは良質な粒状形態を保つが、圃場に散布されあるいはすき込まれると速やかに崩壊してその成分が分散し、有機物の腐熟を著しく促進させることのできる有機物腐熟促進材を提供することである。
【０００５】
【課題を解決するための手段】
すなわち、本発明は、以下を要旨とする有機物腐熟促進材である。
（請求項１）窒素成分とりん酸成分を含む肥料が、リグニンスルホン酸ナトリウムと、リグニンスルホン酸ナトリウム以外のリグニンスルホン酸塩と、水を用いて造粒されてなり、リグニンスルホン酸ナトリウム以外のリグニンスルホン酸塩がリグニンスルホン酸カルシウム又はリグニンスルホン酸マグネシウムであることを特徴とする有機物腐熟促進材。
（請求項２）窒素成分を含む肥料が石灰窒素であり、りん酸成分を含む肥料がようりんであることを特徴する請求項１記載の有機物腐熟促進材。
（請求項３）リグニンスルホン酸ナトリウム以外のリグニンスルホン酸塩がリグニンスルホン酸カルシウムであり、リグニンスルホン酸カルシウムとリグニンスルホン酸ナトリウムの合計の含有量が０．５〜１０重量％で、前者が後者よりも多く含まれていることを特徴とする請求項１又は２記載の有機物腐熟促進材。
【０００６】
【発明の実施の形態】
以下、更に詳しく本発明を説明する。
【０００７】
本発明の有機物腐熟促進材（以下、「本発明品」ともいう。）は、窒素成分とりん酸成分を含む肥料の造粒物である。本発明において、窒素成分を含む肥料とは、石灰窒素、硫酸アンモニウム、塩化アンモニウム、硝酸アンモニウム、りん酸アンモニウム、尿素等の窒素質肥料のことであり、また、りん酸成分を含む肥料とは、ようりん、焼成りん肥、重焼りん、過りん酸石灰、重りん酸石灰、苦土過りん酸等のりん酸質肥料のことである。
【０００８】
これらの中でも、石灰窒素と、ようりんの組み合わせが特に好ましい。何故なら、石灰窒素は、有機物腐熟促進作用に最も優れる窒素質肥料であり、また、ようりんは、有機物の腐熟にともなって産生される有機酸の中和能力を持ち、しかも硫化水素障害の防止に役立つ酸化鉄と、腐熟促進作用を有するケイ酸、石灰と、微生物の養分として必要な苦土、亜鉛などの微量を含んでいるからである。
【０００９】
石灰窒素としては、全窒素１９．０重量％以上、アルカリ分５０重量％以上のものが好適であるがこれに限られることはない。この石灰窒素に、生石灰、消石灰、炭酸石灰等の石灰質物質等を更に配合し、全窒素を１０重量％以上にしたものであっても使用することができる。石灰窒素の粒度については、５００ミクロン以下とすることによって、造粒が容易となる。また、ようりんは、通常入手できるもので十分である。
【００１０】
本発明において、窒素質肥料とりん酸質肥料の割合は、前者が１０重量％以上、特に１５〜３５重量％、後者が９０重量％以下、特に６５〜８５重量％であることが好ましい。窒素質肥料の割合が１０重量％未満であるか、又はりん酸質肥料の割合が９０重量％をこえると、腐熟促進効果が著しく低下する。
【００１１】
本発明は、上記混合肥料を造粒するに際し、バインダーとして、リグニンスルホン酸カルシウム等のリグニンスルホン酸ナトリウム以外のリグニンスルホン酸塩とリグニンスルホン酸ナトリウムを用いたことが大きな特徴である。これによって、散布・運搬・貯蔵等の取扱いが良好である造粒物を容易に製造できるとともに、散布した後は速やかに崩壊するので腐熟効果が速まる。
【００１２】
すなわち、リグニンスルホン酸ナトリウム以外のリグニンスルホン酸塩単独では、圃場等に散布した後の崩壊が遅くなって腐熟促進効果が十分でなくなり、また、リグニンスルホン酸ナトリウム単独では、吸湿しやすくなって散布までの取扱い性が低下する。リグニンスルホン酸ナトリウム以外のリグニンスルホン酸塩としては、カルシウム塩が好適であるが、それ以外にマグネシウム塩等が使用できる。
【００１３】
リグニンスルホン酸ナトリウム以外のリグニンスルホン酸塩と、リグニンスルホン酸ナトリウムの合計の含有量は、０．５〜１０重量％であることが好ましい。０．５重量％未満では、バインダーとしての機能が不十分となって取扱いに良好な造粒物を得ることができず、また１０重量％をこえると、窒素質肥料とりん酸質肥料の肥料成分の割合が相対的に少なくなり、腐熟促進効果が小さくなる。このような含有割合にあっても、リグニンスルホン酸ナトリウム以外のリグニンスルホン酸塩の方がリグニンスルホン酸ナトリウムよりも多く含まれていることが好ましく、特に前者が後者よりも２〜２０重量倍多く含まれていることが好ましい。本発明においては、上記条件で両者のリグニンスルホン酸塩が使用されている限り、廃糖蜜、でんぷん等のバインダーが更に用いられていてもよい。
【００１４】
造粒を行うための水量は、窒素質肥料とりん酸質肥料の混合肥料１００重量部に対し、５〜１５重量部、特に７〜１０重量部であることが好ましい。
【００１５】
造粒は、上記成分を含む混合物の押し出しないしは転動等によって行うことができるが、好ましくは転動造粒である。造粒に際しては、生石灰、消石灰、炭酸石灰、ケイ酸石灰等の有機物の腐熟に有効とされている肥料成分を更に混合し、各成分濃度を希釈して造粒することもできる。
【００１６】
本発明品は、散布・運搬・貯蔵等の取扱いが良好であり、しかも散布した後は速やかに崩壊して有機物の腐熟促進効果に優れるという効果を発現するが、製鉄鉱さい、転炉さい、フェロニッケル鉱さい、シリコマンガン鉱さい、フェロクロム鉱さい、ステンレス鉱さい、製りんさい、普通鋼鉱さい、酸化鉄等の鉄分含有物質や、苦土、けい酸、石灰等の成分を更に含ませ、養分の欠乏・アンバランスに対処した土づくり肥料や元肥などしても使用することができる。
【００１７】
【実施例】
以下、実施例、比較例をあげて更に具体的に本発明を説明する。
【００１８】
実施例１〜３  比較例１〜２
石灰窒素（全窒素２０重量％）、ようりん（りん酸分１９重量％）、リグニンスルホン酸カルシウム、リグニンスルホン酸ナトリウム及び水を表１に示す割合で種々混合し、それをパン型造粒機により、直径１〜４ｍｍ程度の球状物に造粒して、有機物腐熟促進材とし、以下に従う、硬度、粉化率、水中崩壊性及び腐熟効果を測定した。それらの結果を表２に示す。
【００１９】
（１）硬度：粒子径２〜２．８ｍｍの粒子について、木屋式硬度計により測定した。
（２）粉化率：全農平塚研究所の「粉化率測定法」に準じ、７５回／分の振動を１５分間与え、１．０ｍｍふるい下の割合を算出(重量％)した。
（３）水中崩壊性：全農平塚研究所の「造粒した肥料の崩壊性試験法」に準じ、２ｍｍふるい上粒子５０個をふるい上に並べ、試料が十分に水に浸るまで水（室温）を注ぎ、一昼夜放置後、ふるいを静かに取り出し、ふるい上残存分割合を算出した。
（４）腐熟効果：圃場に寒冷紗を敷き、上位３節目を中心に約７ｃｍにカットした稲わら２０．０ｇを広げ、所定量のサンプルを散布した後、更に寒冷紗をかけ３ｃｍ程度覆土した。その後、所定期日にわらを回収し、その残存重量とＣ／Ｎ比を測定した。なお、散布量は、いずれも窒素が４ｇ／ｍ2となる量とした。
【００２０】
【表１】
0004417466.tif 000002
【００２１】
【表２】
0004417466.tif 000003
【００２２】
【発明の効果】
本発明によれば、圃場に散布されるまでは良好な粒状形態を保つが、圃場に散布されあるいはすき込まれると速やかに崩壊してその成分が分散し、有機物の腐熟を著しく促進させることのできる有機物腐熟促進材が提供される。